(57)【要約】【課題】  操作性が良く消費電力の小さいＨＭＩを備えるディジタルカメラを提供する。【解決手段】  カラーイメージセンサと、前記カラーイメージセンサに被写体を結像させる光学系と、回転可能な第一スイッチと、撮像モードと第一設定モードと第二設定モードとを切り替える第二スイッチと、前記第一設定モードにおいて前記第一スイッチの回転角度に応じて画像のホワイトバランスに相関する第一処理条件を設定する第一設定手段と、前記第二設定モードにおいて前記第一スイッチの回転角度に応じて画像のデータサイズに相関する第二処理条件を設定する第二設定手段と、前記第一処理条件を表示する第一表示針と、前記第二処理条件を表示する第二表示針と、前記撮像モードにおいて、前記第一処理条件及び前記第二処理条件に応じた画像を前記カラーイメージセンサの出力信号に基づいて出力する出力手段と、を備えることを特徴とするディジタルカメラ。【選択図】    図１
2005260465.tif 000002
【特許請求の範囲】
【請求項１】
カラーイメージセンサと、
前記カラーイメージセンサに被写体を結像させる光学系と、
回転可能な第一スイッチと、
撮像モードと第一設定モードと第二設定モードとを切り替える第二スイッチと、
前記第一設定モードにおいて前記第一スイッチの回転角度に応じて画像のホワイトバランスに相関する第一処理条件を設定する第一設定手段と、
前記第二設定モードにおいて前記第一スイッチの回転角度に応じて画像のデータサイズに相関する第二処理条件を設定する第二設定手段と、
前記第一処理条件を表示する第一表示針と、
前記第二処理条件を表示する第二表示針と、
前記撮像モードにおいて、前記第一処理条件及び前記第二処理条件に応じた画像を前記カラーイメージセンサの出力信号に基づいて出力する出力手段と、
を備えることを特徴とするディジタルカメラ。
【請求項２】
前記第二スイッチは、レバーであることを特徴とする請求項１に記載のディジタルカメラ。
【請求項３】
カラーイメージセンサと、
前記カラーイメージセンサに被写体を結像させる光学系と、
回転可能な第一スイッチと、
撮像モードと設定モードとを切り替える第二スイッチと、
前記設定モードにおいて前記第一スイッチの回転角度に応じて画像のデータサイズに相関する処理条件を設定する設定手段と、
前記処理条件を表示する表示針と、
前記撮像モードにおいて前記処理条件に応じた画像を前記カラーイメージセンサの出力信号に基づいて出力する出力手段と、
を備えることを特徴とするディジタルカメラ。
【請求項４】
前記第二スイッチは、レバーであることを特徴とする請求項３に記載のディジタルカメラ。
【請求項５】
カラーイメージセンサと、
前記カラーイメージセンサに被写体を結像させる光学系と、
回転可能な第一スイッチと、
撮像モードと設定モードとを切り替える第二スイッチと、
前記設定モードにおいて前記第一スイッチの回転角度に応じて画像のホワイトバランスに相関する処理条件を設定する設定手段と、
前記処理条件を表示する表示針と、
前記撮像モードにおいて前記処理条件に応じた画像を前記カラーイメージセンサの出力信号に基づいて出力する出力手段と、
を備えることを特徴とするディジタルカメラ。
【請求項６】
前記第二スイッチは、レバーであることを特徴とする請求項５に記載のディジタルカメラ。
【発明の詳細な説明】
【技術分野】
【０００１】
本発明はディジタルカメラに関する。
【背景技術】
【０００２】
従来、画像サイズ、ホワイトバランス、絞り、露光時間、ＩＳＯ感度等を設定するためのＨＭＩ（Human Machine Interface）に十字キーとＬＣＤ（Liquid Crystal Display）を用いたディジタルカメラが知られている（例えば特許文献１参照）。十字キーとＬＣＤを用いたメニュー操作では、メニュー呼出、項目の選択、決定という操作を組み合わせることによって、少ないスイッチで多数の項目を設定可能である。
【特許文献１】特開２００１−１７７７５８号公報（図３）
【発明の開示】
【発明が解決しようとする課題】
【０００３】
しかし、ＬＣＤを用いたＨＭＩは消費電力が大きいという問題がある。また、ＬＣＤの画面は明るい屋外での視認性に問題がある。また、十字キーやＬＣＤのように電子機器に特有の部品の意匠は、フィルムカメラの愛好者に敬遠される場合もある。また、十字キーとＬＣＤを用いたメニュー操作では、メニュー呼出、選択、決定という操作を所定の順序で行う必要があるため、シャッタチャンスを逃さないように素早くホワイトバランス等の設定を変更するには相当の慣れが必要である。
本発明は、このような問題を解決するために創作されたものであって、操作性が良く消費電力の小さいＨＭＩを備えるディジタルカメラを提供することを目的とする。
【課題を解決するための手段】
【０００４】
上記目的を達成するため、ディジタルカメラは、カラーイメージセンサと、前記カラーイメージセンサに被写体を結像させる光学系と、回転可能な第一スイッチと、撮像モードと第一設定モードと第二設定モードとを切り替える第二スイッチと、前記第一設定モードにおいて前記第一スイッチの回転角度に応じて画像のホワイトバランスに相関する第一処理条件を設定する第一設定手段と、前記第二設定モードにおいて前記第一スイッチの回転角度に応じて画像のデータサイズに相関する第二処理条件を設定する第二設定手段と、前記第一処理条件を表示する第一表示針と、前記第二処理条件を表示する第二表示針と、前記撮像モードにおいて、前記第一処理条件及び前記第二処理条件に応じた画像を前記カラーイメージセンサの出力信号に基づいて出力する出力手段と、を備える。撮像モードと、画像のホワイトバランスに相関する第一処理条件を設定する第一設定モードと、画像のデータサイズに相関する第二処理条件を設定する第二設定モードとを切り替える第二スイッチを備えることにより、変更頻度の高い画像のホワイトバランス及びデータサイズを設定可能なモードに撮像モードから素早く切り替えることができる。また、第二スイッチによるモードの切換操作と、第一スイッチの回転操作だけで、変更頻度の高い画像のホワイトバランス及びデータサイズを素早く設定することができる。また、変更頻度の高い画像のホワイトバランス及びデータサイズの処理条件を針で表示することにより、消費電力を低減しつつ、それらの処理条件の設定状態の視認性を向上させることができる。
さらに前記第二スイッチは、レバーであることが望ましい。レバーの回転角度によってモードを認識できるため、操作性が向上する。
【０００５】
上記目的を達成するため、ディジタルカメラは、カラーイメージセンサと、前記カラーイメージセンサに被写体を結像させる光学系と、回転可能な第一スイッチと、撮像モードと設定モードとを切り替える第二スイッチと、前記設定モードにおいて前記第一スイッチの回転角度に応じて画像のデータサイズに相関する処理条件を設定する設定手段と、前記処理条件を表示する表示針と、前記撮像モードにおいて前記処理条件に応じた画像を前記カラーイメージセンサの出力信号に基づいて出力する出力手段と、を備える。撮像モードと、画像のデータサイズに相関する処理条件を設定する設定モードとを切り替える第二スイッチを備えることにより、変更頻度の高い画像のデータサイズを設定可能なモードに撮像モードから素早く切り替えることができる。また、第二スイッチによるモードの切換操作と、第一スイッチの回転操作だけで、変更頻度の高い画像のデータサイズを素早く設定することができる。また、変更頻度の高い画像のデータサイズの処理条件を針で表示することにより、消費電力を低減しつつ、データサイズの処理条件の設定状態の視認性を向上させることができる。
さらに前記第二スイッチは、レバーであることが望ましい。レバーの回転角度によってモードを認識できるため、操作性が向上する。
【０００６】
上記目的を達成するため、カラーイメージセンサと、前記カラーイメージセンサに被写体を結像させる光学系と、回転可能な第一スイッチと、撮像モードと設定モードとを切り替える第二スイッチと、前記設定モードにおいて前記第一スイッチの回転角度に応じて画像のホワイトバランスに相関する処理条件を設定する設定手段と、前記処理条件を表示する表示針と、前記撮像モードにおいて前記処理条件に応じた画像を前記カラーイメージセンサの出力信号に基づいて出力する出力手段と、を備える。撮像モードと、画像のホワイトバランスに相関する処理条件を設定する設定モードとを切り替える第二スイッチを備えることにより、変更頻度の高い画像のホワイトバランスを設定可能なモードに撮像モードから素早く切り替えることができる。また、第二スイッチによるモードの切換操作と、第一スイッチの回転操作だけで、変更頻度の高い画像のホワイトバランスを素早く設定することができる。また、変更頻度の高い画像のホワイトバランスの処理条件を針で表示することにより、消費電力を低減しつつ、ホワイトバランスの処理条件の設定状態の視認性を向上させることができる。
さらに前記第二スイッチは、レバーであることが望ましい。レバーの回転角度によってモードを認識できるため、操作性が向上する。
【発明を実施するための最良の形態】
【０００７】
以下、本発明を実施するための最良の形態を実施例に基づいて説明する。
図２は、本発明の一実施例に係るディジタルカメラとしてのディジタルスチルカメラ（ＤＳＣ）１のハードウェア構成を示すブロック図である。
【０００８】
光学系１０は、複数のレンズ１２、絞り１４等で構成されている。光学系１０はイメージセンサ２０の受光面に被写体を結像させる。光学系１０とイメージセンサ２０の間には、図示しない開閉機構によって作動するシャッタスクリーン１６が設けられている。
請求項に記載のカラーイメージセンサとしてのイメージセンサ２０は、２次元空間に離散的に配置された画素を構成する光電変換素子とＣＣＤ（Charge Coupled Device）等の電荷転送素子とを備えた撮像素子であり、いわゆるＣＣＤカラーイメージセンサ、ＣＭＯＳカラーイメージセンサ等である。イメージセンサ２０は図示しないセンサコントローラによって駆動される。イメージセンサ２０は光学系１０により結像される被写体像を光電変換して得られる電荷を画素毎に一定時間蓄積し、画素毎の受光量に応じた電気信号を出力する。画素毎にＣ（Cyan）、Ｍ（Magenta）、Ｙ（Yellow）及びＧ（Green）の４色のフィルタのいずれか、またはＲ（Red）、Ｇ（Green）及びＢ（Blue）の３色のフィルタのいずれかを受光面に設けることによりイメージセンサ２０でカラー画像情報を取り込むことが可能である。これらの色フィルタは規則性をもってイメージセンサ２０の受光面に配列される。イメージセンサ２０の露光量は、シャッタスクリーン１６の開放時間と、絞り１４の開口面積とで決定される。尚、イメージセンサ２０の露光時間はイメージセンサ２０の電荷蓄積時間自体を電気的に制御することによって調整してもよい。
【０００９】
請求項に記載の出力手段としてのアナログフロントエンド（ＡＦＥ）２２は、イメージセンサ２０から出力される電気信号をＡＤ変換器でディジタル信号に変換して出力する。具体的には例えば、ＡＦＥ２２は電気信号に含まれる雑音の低減処理であるＣＤＳ（Correlated Double Sampling）処理、画像の黒レベルを再現するためのオプティカル・ブラック・クランプ制御、電気信号のゲイン調整による画像信号のレベル調整処理、量子化処理等を行ってディジタル画像処理部２４にディジタル画像信号を出力する。
【００１０】
後述する変換設定でＲＡＷ形式が選択されているとき、ＡＦＥ２２はイメージセンサ２０の出力信号を単純にＡＤ変換したデータを外部記憶部２８にそのまま出力する。ＲＡＷデータとは一般に撮像素子から出力された電気信号を単純にディジタル化したデータのことである。ＲＡＷデータ形式のファイルは、ＪＰＥＧデータの様に国際規格で決まったものでなく、形式や濃淡のビット数を自由に決めることができる。本実施例のＲＡＷデータ形式の画像ファイルでは、カメラ内で撮像時に発生した撮像情報、画像サイズ、１画素あたりの濃淡を表すビット数、センサのカラーフィルタ配列情報等に併せて、イメージセンサ２０の出力信号をそのままＡＦＥ２２でディジタル変換したものが記録される。このＲＡＷ形式のファイルに記録されているセンサ出力のデータ部分（イメージセンサ２０の出力信号を単純にディジタル変換したもの）を本実施例ではＲＡＷデータというものとする。
【００１１】
請求項に記載の出力手段としてのディジタル画像処理部２４は、ＡＦＥ２２から出力されたディジタル画像信号に対し、画像形成処理、ホワイトバランス補正、ガンマ補正、ＲＧＢ色空間からＹＣｂＣｒ色空間に変換する色空間変換等を施す。
画像形成処理とは、イメージセンサ２０の注目画素から出力された一色の濃淡レベルと、その近傍の複数画素から出力された複数色の濃淡レベルとに基づいて、注目画素毎にＲ、Ｇ、Ｂの３原色の濃淡レベル情報を生成する処理を、注目画素を移動させながら繰り返す処理をいう。このような画像形成処理によって、全画素がＲ、Ｇ、Ｂの濃淡レベル情報をそれぞれ持つカラー画像が形成される。
【００１２】
ホワイトバランス補正とは、全画素の各チャネルの濃淡レベルに対し、チャネル毎に設定された補正係数を乗ずることによって、光源の色温度に応じて画像の色調を補正する処理である。ホワイトバランス補正の処理条件である補正係数は、ユーザが設定する撮像環境の光源の種類に応じて設定される。光源設定として晴天、曇天、日陰、蛍光灯、白熱灯等を選択可能にすることができる。また、光源設定として自動設定を選択可能とし、自動設定が選択された場合には、画像を解析することによって補正係数を自動設定することもできる。
【００１３】
請求項に記載の出力手段としてのデータ形式変換部２６は、ディジタル画像処理部２４又は外部記憶部２８から出力された画像のデータ形式を変換する。データ形式変換部２６は、具体的には例えば非可逆圧縮方式であるＪＰＥＧ方式による圧縮又は伸張や、データの切り捨てを伴わない可逆圧縮方式を用いた圧縮又は伸張等を行う。また、データ形式変換部２６は圧縮を行わないＴＩＦＦ形式の画像データへの変換及び逆変換も可能に構成されている。データ形式の変換後の画像のデータサイズは、処理条件として選択される変換方式に応じて変化する。ＪＰＥＧ方式の圧縮では、変換後の画像のデータサイズは、ＤＣＴ係数を量子化する際の量子化ステップのステップ幅に相関する。量子化ステップのステップ幅が大きいほど、圧縮後の画像のデータサイズは小さく、圧縮による画質の劣化は顕著になる。量子化ステップの幅を圧縮品質ごとにテーブルに格納しておくことにより、ユーザが選択する変換設定に応じて量子化に用いるテーブルを選択することができる。変換設定としては、ＲＡＷ形式、ＴＩＦＦ形式、ＪＰＥＧ方式の高圧縮、ＪＰＥＧ方式の低圧縮等を選択可能に構成できる。
【００１４】
請求項に記載の出力手段としての外部記憶部２８は、リムーバブルメモリ３０を接続するためのカードスロット、メモリコントローラなどを備える。外部記憶部２８は制御部４２によって制御され、データ形式変換部２６で変換された画像データ、またはＡＦＥ２２から出力されたＲＡＷデータをリムーバブルメモリ３０に書き込む処理、リムーバブルメモリ３０に記憶されている画像データを読み出す処理等を行う。
【００１５】
画面表示部３４は、ＬＣＤ６２（図３（Ａ）参照）、ＬＣＤ６２を制御するディスプレイコントローラなどを備える。画面表示部３４は制御部４２によって制御され、ＲＡＭ３２に記憶される画面表示用データに基づいて各種のメニューとリムーバブルメモリ３０に記憶されている画像をＬＣＤ６２に画面表示する。
針表示部３６は、ホワイトバランス補正に用いる光源設定、変換設定及び図示しない電池の残量をそれぞれ表示する３本の表示針と、その駆動回路を有する。操作部３７は、ＤＳＣ１を操作するための複数の押しボタンスイッチ、レバー、ジョグダイヤルなどを備える。針表示部３６及び操作部３７の詳細については後述する。
【００１６】
請求項に記載の第一設定手段及び第二設定手段としての制御部４２は、ＣＰＵ３８、フラッシュメモリ４０、記憶手段としてのＲＡＭ３２、図示しない入出力インタフェース等を備える。ＣＰＵ３８はフラッシュメモリ４０に記憶されているプログラムを実行することでＤＳＣ１の全体を制御する。フラッシュメモリ４０は、各種のプログラムやデータなどを記憶する不揮発性のメモリである。フラッシュメモリ４０に記憶する各種のプログラムやデータは所定のサーバからネットワークを介してダウンロードして記憶してもよいし、リムーバブルメモリ等のコンピュータ読み取り可能な記憶媒体から読み出して記憶してもよい。ＲＡＭ３２は、各種のプログラムやデータを一時的に記憶するためのメモリである。図示しない入出力インタフェースは、ＲＡＭ３２に格納されるデータをイメージセンサ２０等のハードウェアを制御する信号に変換したり、操作部３７等から出力される信号をＣＰＵ３８で処理可能なデータに変換するための回路である。
【００１７】
次に、ＤＳＣ１の外観について説明する。
図３（Ａ）はＤＳＣ１の背面図であり、図３（Ｂ）はＤＳＣ１を図３（Ａ）に示すＺ方向から見た上面図である。
光学ファインダ４６はユーザが被写体を視認するために使用する。
電源スイッチ７４はＤＳＣ１を起動又は終了するためのスイッチである。表示スイッチ５４、メニュースイッチ５６、エンタースイッチ５８、及びキャンセルスイッチ６０はＬＣＤ６２に表示されるメニューを操作するための押しボタンスイッチである。
【００１８】
請求項に記載の第一スイッチとしてのジョグダイヤル４４は、ＬＣＤ６２に表示されるメニューと光源設定と変換設定とを操作するための回転可能なスイッチである。ジョグダイヤル４４は、ＸＹ方向に回転可能、且つ回転軸の軸方向に移動可能に設けられている。ジョグダイヤル４４は軸方向の２ポジションで回転可能に設けられている。以後の説明ではＤＳＣ１の筐体６４に近い側を下ポジション、下ポジションからジョグダイヤル４４を上側に持ち上げたポジションを上ポジションというものとする。図３（Ａ）では下ポジションにあるジョグダイヤル４４を実線で示し、上ポジションにあるジョグダイヤル４４を破線で示している。
【００１９】
請求項に記載の第二スイッチとしてのレバー５２は、撮像モードと第一設定モードと第二設定モードとを切り替えるための回転可能なスイッチである。ＤＳＣ１は、レバー５２の姿勢変化に応じて撮像モード、第一設定モード又は第二設定モードに遷移する。第一設定モードでジョグダイヤル４４が回転すると、ジョグダイヤル４４が上下何れのポジションにあっても、制御部４２はジョグダイヤル４４の回転角度に応じて光源設定を変更する。第二設定モードでジョグダイヤル４４が回転すると、ジョグダイヤル４４が上下何れのポジションにあっても、制御部４２はジョグダイヤル４４の回転角度に応じて変換設定を変更する。レバー５２の中間姿勢（水平姿勢）を撮像モードと対応させることで、光源設定を変更可能な第一設定モードへも変換設定を変更可能な第二設定モードへも撮像モードから直接遷移できるようになる。
【００２０】
巻き上げレバー５０は機械的にシャッタが切られた状態のシャッタスクリーン１６を再度次回のシャッタ動作が可能な様に引き上げて機械的に固定するための動作を行うために設けられている。ユーザは撮像前に巻き上げレバー５０を巻き上げてシャッタチャージを行うことによりシャッタスクリーン１６を撮像動作可能にする。ダイヤルスイッチ４９は、シャッタスピードとＩＳＯ感度を設定するための回転式のスイッチである。シャッタスイッチ４８はダイヤルスイッチ４９の中央部に設置されている。撮像モードでシャッタチャージが行われた後にシャッタスイッチ４８が押下されると、制御部４２は撮像処理を開始する。
【００２１】
針表示部３６は、図４に示すように、回転式ダイヤル６６、文字リング７０、文字盤７４、光源設定表示針６５、変換設定表示針７２、フレーム数表示針６７及び電池残量表示針７７を備えている。光源設定表示針６５、変換設定表示針７２、フレーム数表示針６７及び電池残量表示針７７は、針表示部３６の図示しないアクチュエータによって駆動されることによって回転する。
【００２２】
第一表示針としての光源設定表示針６５が指し示す文字盤７４に表記されている記号は、現在設定されている光源設定を表している。光源設定表示針６５の角度は、現在設定されている光源設定に応じて制御部４２が針表示部３６のアクチュエータを制御することによって決まる。光源設定を表す表記は、文字でも記号でもよい。具体的には例えば、自動設定を表す文字Ａ、太陽光を表す円、蛍光灯を表す二重円、白熱灯を表す記号が文字盤７４に表記されている。
【００２３】
第二表示針としての変換設定表示針７２が指し示す文字盤７４に表記されているアルファベットは、現在設定されている変換設定を表している。変換設定表示針７２の角度は、現在設定されている変換設定に応じて制御部４２が針表示部３６のアクチュエータを制御することによって決まる。変換設定を表す表記は、文字でも記号でもよい。具体的には例えば、ＲＡＷ形式を表す文字Ｒ、ＴＩＦＦ形式を表す文字Ｔ、高圧縮のＪＰＥＧ形式を表す文字Ｈ、及び低圧縮のＪＰＥＧ形式を表す文字Ｎが文字盤７４に表記される。
【００２４】
フレーム数表示針６７が指し示す文字リング７０に表示されている数字は、現在設定されている変換設定で記録可能なフレーム数の目安を表している。フレーム数表示針６７の角度は、現在設定されている変換設定と、リムーバブルメモリ３０の残容量に応じて制御部４２が針表示部３６のアクチュエータを制御することによって決まる。
【００２５】
電池残量表示針７７が指し示す文字盤７４に表記されている円弧の部位は、現在の電池残量を表している。
回転式ダイヤル６６は、自動設定される露出値を−２ＥＶ〜＋２ＥＶまで調整可能な回転式のスイッチである。回転式ダイヤル６６の角度に応じて露出値が制御部４２に設定される。
【００２６】
ジョグダイヤル４４およびその周囲の構成を図５に示す。ジョグダイヤル４４は連結部材９６によりシャフト９４と連結されている。シャフト９４は、ジョグダイヤル４４と回転するとともに、シャフト９４の長手方向である回転軸方向にジョグダイヤル４４とともに移動する。シャフト９４の上部には、環状溝１００、１０２が形成されている。ジョグダイヤル４４とともにシャフト９４が回転軸方向に変位するとき、Ｕ字状のクリップ９８が環状溝１００、１０２に嵌合することにより、ジョグダイヤル４４を操作するユーザは、ジョグダイヤル４４が下ポジションまたは上ポジションに達したことを感知する。また、クリップ９８は弾性を有するので、ジョグダイヤル４４の上下ポジションでクリップ９８が環状溝１００または環状溝１０２に嵌合することにより、ジョグダイヤル４４が回転軸方向に移動することを規制できる。
【００２７】
円筒カバー８６はシャフト９４に連結され、シャフト９４とともに回転し、回転軸方向にシャフト９４とともに移動する。円筒カバー８６の外周壁にギア８０、８４が取り付けられている。ギア８０、８４は円筒カバー８６とともに回転し、円筒カバー８６とともに回転軸方向に移動する。
ジョグダイヤル４４とともにギア８０が回転するときにギア８０が板ばね８２と当接することにより、ジョグダイヤル４４を回転操作するとき、ユーザはクリック感を得ることができる。
【００２８】
ギア８０と同軸上に設置されたギア８４の回転量はフォトインタラプタ９０がギア８４の歯数または欠歯数を検知することにより検出される。
リーフスイッチ(leaf switch)９０は、ジョグダイヤル４４とともに回転軸方向に移動するシャフト９４によってオン、オフされ、ジョグダイヤル４４が下ポジションにあるか、上ポジションにあるかを検出する。
【００２９】
次に図１に基づいてＤＳＣ１の作動について説明する。電源スイッチ７４が操作されてＤＳＣ１が起動すると、フラッシュメモリ４０に記憶された制御プログラムをＣＰＵ３８が実行することによってＤＳＣ１は次のように作動する。
はじめに制御部４２はレバー５２の姿勢を検出し、レバー５２の姿勢に応じた各モードで次のように作動する（Ｓ１００）。
【００３０】
レバー５２の姿勢が図３（Ａ）の図面上で左上がりである場合、制御部４２はフォトインタラプタ９０の出力信号に基づいてジョグダイヤル４４の回転角度を検出する（Ｓ１０２）。ジョグダイヤル４４が回転した場合、制御部４２は回転角度に応じて光源設定を変更する（Ｓ１０４）。具体的には例えばホワイトバランス補正の補正係数を設定する際に参照されるアドレスの値を回転角度に応じた値に変更する。次に制御部４２は、光源設定に応じて光源設定表示針６５のアクチュエータを制御する。アクチュエータは、制御部４２の制御下で、いずれかの光源設定を表す文字盤７４の記号を指し示す角度に光源設定表示針６５を回転させる（Ｓ１０６）。
【００３１】
レバー５２の姿勢が図３（Ａ）の図面上で左下がりである場合、制御部４２はフォトインタラプタ９０の出力信号に基づいてジョグダイヤル４４の回転角度を検出する（Ｓ１０８）。ジョグダイヤル４４が回転した場合、制御部４２は回転角度に応じて変換設定を変更する（Ｓ１１０）。具体的には例えばＪＰＥＧ圧縮処理の量子化ステップ幅が記述されたテーブルを選択する際に参照される値を回転角度に応じた値に変更する。次に制御部４２は、変換設定に応じて変換設定表示針７２のアクチュエータを制御する。アクチュエータは、制御部４２の制御下で、いずれかの変換設定を表す文字盤７４の記号を指し示す角度に変換設定表示針７２を回転させる（Ｓ１１２）。
【００３２】
レバー５２の姿勢が図３（Ｂ）の図面上で水平（中間姿勢）である場合、制御部４２はシャッタスイッチ４８の押下操作を検出する（Ｓ１１４）。シャッタスイッチ４８が押下されると、制御部４２はシャッタチャージの状態を検出する（Ｓ１１６）。シャッタチャージが済んでいれば、シャッタスピードに応じた時間だけシャッタスクリーン１６が開放され、制御部４２はイメージセンサ２０を制御して光電変換素子に蓄積された電荷を出力させる（Ｓ１１８）。イメージセンサ２０の出力信号は、ＡＦＥ２２によってＡＤ変換される（Ｓ１２０）。ディジタル画像処理部２４は、ＡＦＥ２２から出力されるディジタル信号に対し、光源設定に応じたホワイトバランスの補正処理を施す（Ｓ１２２）。ディジタル画像処理部２４は、ＡＦＥ２２から出力されるディジタル信号に対してガンマ補正等のその他の画像処理を施す（Ｓ１２６）。データ形式変換部２６は、ディジタル画像処理部２４から出力されるデータを変換設定に応じて変換する（Ｓ１２６）。外部記憶部２８は、データ形式変換部２６から出力される画像データをリムーバブルメモリ３０に記憶させる（Ｓ１２８）。尚、変換設定がＲＡＷデータ形式である場合、前述したとおり、ＡＦＥ２２から出力されるディジタル信号がリムーバブルメモリ３０に記憶される。
【００３３】
以上説明した本発明の実施例によると、撮像モードと、ホワイトバランスの補正係数を決める光源の種類を設定する第一設定モードと、画像のデータサイズに相関するデータ変換方式を設定する第二設定モードとを切り替えるレバー５２を備えることにより、変更頻度の高い画像のホワイトバランス及びデータ変換方式を設定可能なモードに撮像モードから素早く切り替えることができる。また、レバー５２によるモードの切換操作と、ジョグダイヤル４４の回転操作だけで、変更頻度の高い画像のホワイトバランス及びデータ変換方式を素早く設定することができる。また、変更頻度の高い画像のホワイトバランス及びデータ変換方式の処理条件を表示針６５、７２で表示することにより、消費電力を低減しつつ、それらの処理条件の設定状態の視認性を向上させることができる。また、モードの切換操作をレバー５２で受け付けることにより、ユーザはレバー５２の姿勢でモードを認識できるため、操作性が向上する。
【００３４】
上記実施例では、ホワイトバランスを設定するモード及びデータ変換方式を設定するモードに撮像モードから直接遷移可能とし、２つの設定モードでジョグダイヤル４４の回転によって設定内容を変更可能な構成を例示した。しかし、本発明は、切換対象のモードをそれらの２つに限定するものではなく、また、ジョグダイヤル４４の回転によって設定内容を変更可能な設定項目をホワイトバランス及びデータ変換方式に限定するものでもない。具体的には例えば、撮像モードと、ホワイトバランスを設定するモードと、露出補正を設定するモードとをレバー５２で切り替え可能に構成してもよいし、撮像モードと、データ変換方式を設定するモードと、露出補正を設定するモードとをレバー５２で切り替え可能に構成してもよいし、レバー５２で切り換え可能なモード数を２つだけに限定したり、４つ以上に拡張してもよい。
【００３５】
上記実施例では、撮像モード、ホワイトバランスを設定するモード及びデータ変換方式を設定するモードをレバー５２で切り換えている。しかし、本発明は、モードの切り換えスイッチの構成をレバーに限定するものではない。具体的には例えば、押圧するたびにモードが循環する押しボタンスイッチでモードを切り替えても良いし、モード毎に押しボタンスイッチを設けても良い。そのような押しボタンスイッチでモードを切り替える場合、ＬＥＤ（Light Emitting Diode）等のインジケータでモードを表示することが望ましい。
上記実施例では、画像のデータサイズに相関する処理条件は、変換設定を変更することによって設定した。しかし、本発明は、画像のデータサイズに相関する処理条件の設定項目を変換設定に限定するものではない。具体的には例えば、第二設定モードにおいては、画像のピクセルサイズをジョグダイヤル４４で変更可能な構成としてもよい。
【図面の簡単な説明】
【００３６】
【図１】本発明の一実施例に係るディジタルカメラの作動を示すフローチャート。
【図２】本発明の一実施例に係るディジタルカメラのハードウェア構成を示すブロック図。
【図３】（Ａ）は本発明の一実施例に係るディジタルカメラの背面図、（Ｂ）は本発明の一実施例に係るディジタルカメラの上面図。
【図４】図３のIV部を示す拡大図。
【図５】図５は本発明の一実施例に係るジョグダイヤルおよびその周囲を示す斜視図であり、（Ａ）はジョグダイヤルを装着した状態、（Ｂ）はジョグダイヤルを除いた状態、（Ｃ）はシャフトを示している。
【符号の説明】
【００３７】
１０  光学系、２０ イメージセンサ（カラーイメージセンサ）、２２ ＡＦＥ（出力手段）、２４ ディジタル画像処理部（出力手段）、２６ データ形式変換部（出力手段）、２８ 外部記憶部（出力手段）、４２ 制御部（第一設定手段、第二設定手段）、４４ ジョグダイヤル（第一スイッチ）、５２ レバー（第二スイッチ）、６５ 光源設定表示針（第一表示針）、
７２ 変換設定表示針（第二表示針）
【図１】
2005260465.tif 000003
【図２】
2005260465.tif 000004
【図３】
2005260465.tif 000005
【図４】
2005260465.tif 000006
【図５】
2005260465.tif 000007